(57)【要約】      （修正有）【課題】カム装置の使用寿命を延長し、ブラケット製造コストを据え置くことができる、冷媒回収機器のカム装置を提供する。【解決手段】カム装置５は冷媒回収機のケーシング１に内設し、前記カム装置は中空状のフレーム５１を有し、かつフレーム内部の２つの対向する側壁に耐磨耗シートを嵌装し、耐磨耗シートの剛性はフレームより高く、フレームに滑り駒５２を内設し、滑り駒は耐磨耗シートに対向する２つの外部表面に耐磨耗ピンを嵌装し、耐磨耗ピンの外縁部を耐磨耗シートに接触させる。前記滑り駒にカム組５３を貫設し、前記カム組は第１カムと第２カムより組み合わせたもので、カム装置の使用寿命を延長できる。【選択図】図２
0003156181.tif 000002
【実用新案登録請求の範囲】
【請求項１】
冷媒回収機のカム装置であって、
前記カム装置は冷媒回収機のケーシングに内設し、前記カム装置はフレームを有し、前記カム装置に滑り駒を取付け、前記滑り駒にカム組を貫設し、そのうち、
前記滑り駒は前記フレーム内部にて上下に滑り移動可能であり、かつ前記滑り駒は貫通孔を有し、前記貫通孔に軸受を取付け、
前記カム組は前記滑り駒の両側に、第１カムと第２カムをそれぞれ設け、かつ前記第１カムは前記滑り駒に近接する表面端の周縁に固定ピンを設け、前記第２カムは前記滑り駒に近接する表面端の周縁に嵌着ピンを設け、前記嵌着ピンを固定ピンの外縁部に装着して固定を形成し、前記嵌着ピンは前記滑り駒に設けられた前記軸受の内部に取り付けることを特徴とする、冷媒回収機器のカム装置。
【請求項２】
前記フレームは中空状を形成し、前記フレーム内部の２つの対向する側壁に耐磨耗シートを嵌装し、前記耐磨耗シートの部材の剛性は前記フレームより高く、前記滑り駒は耐磨耗シートに対向する２つの外部表面には耐磨耗ピンを嵌装し、前記耐磨耗ピンの外縁部を耐磨耗シートに接触させることを特徴とする、請求項１記載の冷媒回収機器のカム装置。
【請求項３】
前記軸受はロール軸受であることを特徴とする、請求項１記載の冷媒回収機器のカム装置。
【考案の詳細な説明】
【技術分野】
【０００１】
本考案は一種の冷媒回収機器のカム装置に係り、特に耐磨耗シートにより、寿命が延長され、生産便利なカム装置に関する。
【背景技術】
【０００２】
公知技術の冷媒回収機器は、カム装置でピストンを伝動して運動することにより、ポンプ構成品を介して主機システムの冷媒が抽出されている。図１２を参照し、この図から明らかなように、公知技術のカム装置ａには一体化成形のカムａ１が設けられ、このカムａ１の外周部は２つのブロック体ａ２１より組み合わせた滑り駒ａ２に覆われて、カムａ１と滑り駒ａ２との間に複数の針状ころａ５を巡らして設け、かつ滑り駒ａ２は２つの対向表面に収容溝ａ２２を凹設し、収容溝ａ２２にボールａ４を内設し、滑り駒ａ２の外側は２つのブラケットａ３１より組み合わせたフレームａ３によって覆われ、フレームａ３の内側に収容溝ａ２２に対向する滑り溝ａ３２を設けることによって、カムａ１を枢転させたときに、滑り駒ａ２を伝動して旋転させ、フレームａ３を横方向に移動させ、ピストンｂ運動を伝動し、滑り駒ａ２がフレームａ３内部にて上下に移動する。
【０００３】
しかしながら、前記技術はピストンｂの伝動運動はできるものの、以下の欠点が伴う。
【０００４】
＜イ＞フレームａ３の形状が複雑であり、フレームａ３のブラケットａ３１は成形の後に精密寸法で加工する必要があるため、ブラケットａ３１は剛性の強い部材で成形することができない。現時点のブラケットａ３１はすべて粉末冶金によるものである。ただし、粉末冶金で作られたブラケットａ３１の剛性が良くないため、ボールａ４が絶えず往復して、摩擦の結果、滑り溝ａ３２の摩損が早く、カム装置ａが使用できなくなる。一方、鍛造、鋳造等の方式で剛性の高い部材で製造しようとすると、コストが大幅に増加されるほか、部材の剛性が高いことから、その後の加工コストが高くなり、加工が難しい。
【０００５】
＜ロ＞カム装置ａを組み立てるとき、カムａ１は一体化成形されているため、２つブロック体ａ２１をカムａ１に覆い、滑り駒ａ２を組み合わせた後に、カムａ１と滑り駒ａ２のとの間に複数の針状ころａ５を巡らして設け、ボールａ４を収容溝ａ２２に取り付けて、フレームａの組み立てに取りかかる。カム装置ａが摩損または壊れたとき、使用者は市販部品で交換することができず、メーカーから取り寄せる必要がある。
【０００６】
＜ハ＞ボールａ４が収容溝ａ２２に取り付けられているため、滑り駒ａ２が移動するときに、ボールａ４とボールａ４がぶつかり騒音を発生する。さらに、ボールａ４は収容溝ａ２２の内部にずれを引き起こす。つまり、片側に集まって、滑り駒ａ２の使用荷重が不均衡となり、磨耗は激しくなる。
【考案の概要】
【考案が解決しようとする課題】
【０００７】
剛性の高い部材からなる耐磨耗シートをブラケットに嵌装することによって、カム装置の使用寿命を延長し、ブラケット製造コストを据え置くことができる、冷媒回収機器のカム装置を提供することが本考案の主な目的である。
【０００８】
第１カムと第２カムより組み合わせたカム組によって、カム装置の組み立てが容易にでき、製造に係る作業時間を短縮することができる、冷媒回収機器のカム装置を提供することが本考案のもう一つの目的である。
【課題を解決するための手段】
【０００９】
前記目的を達成するため、本考案に係るカム装置は冷媒回収機のケーシングに内設し、前記カム装置は中空状のフレームを有し、フレーム内部の２つの対向する側壁に耐磨耗シートを嵌装し、前記耐磨耗シートの部材の剛性をフレームより高く設け、フレームに滑り駒を内設し、前記滑り駒は対向する耐磨耗シートの２つの外部表面に耐磨耗ピンを嵌装し、前記耐磨耗ピンの外縁を耐磨耗シートに接触させ、滑り駒の内部にカム組を穿設し、前記カム組は第１カムと第２カムより組み合わせたものである。
【考案の効果】
【００１０】
下記説明の通り、本考案が公知技術の不足点と欠点を解決し得る主な技術手段を以下の通り説明する。
【００１１】
＜イ＞本考案に係るカム組５３は第１カム５３１と第２カム５３２より組み合わせるため、本考案に係るカム装置５を組み立てるときに、まず、滑り駒５２とフレーム５１とを組み立てた後に、第１カム５３１と第２カム５３２とを滑り駒５２の軸受５２３に取り付けて、カム組５３を組み立てできるので、組立に便利である。さらに、軸受５２３が破損したときに、軸受５２３のみを交換するのみで、使用者が自己調達および交換することができる。
【００１２】
＜ロ＞本考案に係る耐磨耗ピン５２１は並列にして、滑り駒５２の２つの外表面に嵌装されているため、滑り駒５２が移動するときに、騒音が発生しない。
【００１３】
＜ハ＞本考案は公知技術でブラケット５１１を生産し、ブラケット５１１に剛性の高い耐磨耗シート５１２を内嵌することによって、滑り駒５２が移動するときに、耐磨耗シート５１２によって耐磨耗ピン５２１に接触し、耐磨耗シート５１２の摩損を軽減し、カム装置５の使用寿命を延長する。一方、ブラケット５１１は公知技術で生産するため、ブラケット５１１の生産コストアップはない。
【図面の簡単な説明】
【００１４】
【図１】本考案の立体外観図である。
【図２】本考案の局所の立体分解図である。
【図３】本考案のカム装置の立面分解図である。
【図４】本考案のフレーム部材によって、ピストンを伝動作動するときの概略図（その一）である。
【図５】本考案図Ａ−Ａの断面線の断面図である。
【図６】本考案のフレーム部材によって、ピストンを伝動し作動する概略図（その二）である。
【図７】本考案図６に係るＢ−Ｂの断面線の断面図である。
【図８】本考案の滑り駒がフレーム部材の内部にて、上下に移動する概略図（その一）である。
【図９】本考案図８に係るＣ−Ｃの断面線の断面図である。
【図１０】本考案の滑り駒がフレーム部材の内部にて、上下に移動する概略図（その二）である。
【図１１】本考案図１０に係るＤ−Ｄの断面線の断面図である。
【図１２】公知技術のカム装置の側断面の概略図である。
【考案を実施するための形態】
【００１５】
図１ないし図５を参照し、図面から明らかなように、本考案に係る冷媒回収機は、主にケーシング１、モーター２、複数のピストン装置３、複数のポンプ構成品４と、カム装置５を含む。
【００１６】
そのうち、ケーシング１は本体１１を有し、本体の内部に１１に収容空間１１１を設け、本体１１の片側に後部蓋１２を設け、後部蓋１２の周縁部と本体１１との間にシールパッキング１３を設ける。
【００１７】
前記モーター２はモーター台２１を有し、モーター台２１は本体１１の後部蓋１２の遠端に連結し、前記モーター台２１はモーター２２に連結し、モーター２２はさらにファン２３と連結する。
【００１８】
ピストン装置３では本体１１がモーター２に隣接する２つの対向表面に設けられ、ピストン装置３にブッシング３１を設け、ブッシング３１にピストン３２を内設する。ピストン３２の外縁部にテフロン（登録商標）製の耐磨耗ワッシャー３２１を設け、ブッシング３１の一端を本体１１の側面に接続し、ブッシング３１は収容空間１１１に連絡し、ブッシング３１と本体１１との間にシールパッキング３３を設ける。
【００１９】
前記ポンプ構成品４はバルブシート４１を有し、バルブシート４１の両側に入力パイプ４２と出力パイプ４３をそれぞれ設け、バルブシート４１はブッシング３１の本体１１の遠端に連結する。
【００２０】
前記カム装置５にフレーム５１、滑り駒５２とカム組５３とを設け、フレーム５１は中空状を形成し、２つの対向するブラケット５１１からなる。各ブラケット５１１は基部５１１１を有し、基部５１１１の両端に支持アーム５１１２を屈折して延設し、２つのブラケット５１１の支持アーム５１１２を接ぎあわせて、フレーム５１を形成する。固定具５１１３によって２つの連絡された支持アーム５１１２を固定する。各ブラケット５１１は２つの対向する基部５１１１の内壁に耐磨耗シート５１２を嵌装し、耐磨耗シート５１２の部材の剛性はフレーム５１より高く設け、前記耐磨耗シート５１２は嵌装によって、基部５１１１の側壁に嵌装するか、または埋め込み成形によって、ブラケット５１１を成形するとき、あらかじめ基部５１１１に埋設しておき、耐磨耗シート５１２と基部５１１１との接合場所に接合部材（たとえば、青銅シート）を取り付けて、ブラケット５１１を成形するときに、耐磨耗シート５１２をブラケット５１１の基部５１１１へ安定的に固定させる。滑り駒５２は一体化成形により、前記フレーム５１に内設する。滑り駒５２は耐磨耗シート５１２の２つの外部表面に対向して並列し、耐磨耗ピン５２１を嵌着し、耐磨耗ピン５２１の外縁部を耐磨耗シート５１２に接触させ、耐磨耗ピン５２１に隣接する２つの側面には互いに連絡する貫通孔５２２を設け、前記貫通孔５２２に軸受５２３を内設し、前記軸受５２３はボール軸受またはニードル軸受である。カム組５３は滑り駒５２の２つの側面に、第１カム５３１と第２カム５３２とをそれぞれ設け、第１カム５３１は滑り駒５２の側面の周りに固定ピン５３１１を凸設し、固定ピン５３１１の遠端の表面の中央場所に枢着ピン５３１２を設け、第２カム５３２は滑り駒５２に近接する側面の周りに嵌着ピン５３２１を凸設し、前記嵌着ピン５３２１の遠端の表面の中央場所に接続ピン５３２２を設け、嵌着ピン５３２１を固定ピン５３１１の外縁部に嵌装して固定させ、前記嵌着ピン５３２１は滑り駒５２に設けられた軸受５２３内部に取り付ける。第１カム５３１と第２カム５３２の外縁部に釣り合い重り５３３をそれぞれ設ける。
【００２１】
カム装置５を前記の収容空間１１１に装着するときに、２つのブラケット５１１の基部５１１１の外側はピストン装置３のピストン３２にそれぞれ接続し、第１カム５３１に設けられた枢着ピン５３１２は後部蓋１２に枢着し、第２カム５３２に設けられた接続ピン５３２２はモーター２２に接続する。接続ピン５３２２とモーター２２との接続場所にテフロン（登録商標）製のオイルシール５３２３が設けられている。
【００２２】
図１、図４ないし図７を参照し、図面から明らかなように、本考案を適用したとき、モーター２２によってカム装置５のカム組５３を伝動し旋転させる。固定ピン５３１１と嵌着ピン５３２１はカム組５３の旋転軸上ではなく、旋転軸の周縁に設けられているため、カム組５３が枢着ピン５３１２と接続ピン５３２２に追随して回転するとき、前記嵌着ピン５３２１は滑り駒５２を押し進めて移動し、嵌着ピン５３２１によって滑り駒５２を横方向に移動させたとき、滑り駒５２の耐磨耗ピン５２１はフレーム５１の耐磨耗シート５１２に接触しているため、フレーム５１が横方向に繰り返して移動するときに、ピストン３２はフレーム５１に追随してブッシング３１内部にて移動し、ブッシング３１の内部空間に変化を引き起し、ポンプ構成品４を伝動して、物質は入力パイプ４２からバルブシート４１に案内され、出力パイプ４３より出力される。
【００２３】
図１、図８ないし図１１を参照し、図面から明らかなように、嵌着ピン５３２１によって滑り駒５２を横方向に移動させたとき、前記滑り駒５２はフレーム５１内部にて上下に移動し、耐磨耗ピン５２１は接触した耐磨耗シート５１２の接触によって移動する。前記耐磨耗シート５１２の部材の剛性が高いため、磨耗しにくく、カム装置５の使用寿命を延長できる。
【符号の説明】
【００２４】
１        ケーシング
１１      本体
１２      後部蓋
１１１    収容空間
１３      シールパッキング
２        モーター
２１      モーター台
２３      ファン
２２      モーター
３        ピストン装置
３１      ブッシング
３２１    耐磨耗ワッシャー
３２      ピストン
３３      シールパッキング
４        ポンプ構成品
４１      バルブシート
４３      出力パイプ
４２      入力パイプ
５        カム装置
５１      フレーム
５１１２  支持アーム
５１１    ブラケット
５１１３  固定具
５１１１  基部
５１２    耐磨耗シート
５２      滑り駒
５２１    耐磨耗ピン
５２３    軸受
５２２    貫通孔
５３      カム組
５３１    第１カム
５３２１  嵌着ピン
５３１１  固定ピン
５３２２  接続ピン
５３１２  枢着ピン
５３２３  オイルシール
５３２    第２カム
５３３    釣り合い重り
ａ        カム装置
ａ１      カム
ａ３      フレーム
ａ２      滑り駒
ａ３１    ブラケット
ａ２１    ブロック体
ａ３２    滑り溝
ａ２２    収容溝
ａ４      ボール
ａ５      針状ころ
ｂ        ピストン
【図１】
0003156181.tif 000003
【図２】
0003156181.tif 000004
【図３】
0003156181.tif 000005
【図４】
0003156181.tif 000006
【図５】
0003156181.tif 000007
【図６】
0003156181.tif 000008
【図７】
0003156181.tif 000009
【図８】
0003156181.tif 000010
【図９】
0003156181.tif 000011
【図１０】
0003156181.tif 000012
【図１１】
0003156181.tif 000013
【図１２】
0003156181.tif 000014